(57)【特許請求の範囲】
【請求項１】
１または複数のミスト噴出口を有するミスト噴出ヘッドと、
複数の管体がスライド可能に嵌合され、かつ内部に供給されるミスト噴出用の液体を前記ミスト噴出ヘッドに導くスライド伸縮管と、
を備えている、ミスト噴出装置であって、
前記スライド伸縮管の軸長方向に延び、かつ前記スライド伸縮管のうち、少なくとも前記ミスト噴出ヘッドから突出する部分を囲む支持ガイドと、
前記ミスト噴出ヘッドに設けられ、かつ前記ミスト噴出ヘッドを前記軸長方向に移動させることが可能に前記支持ガイドにスライド可能に嵌合する嵌合部と、
この嵌合部と前記支持ガイドとの相対的なスライド動作を規制して前記ミスト噴出ヘッドを前記支持ガイドに固定させることが可能な固定手段と、
を備えていることを特徴とする、ミスト噴出装置。
【請求項２】
前記支持ガイドは、前記スライド伸縮管を囲む第１の筒状部を有し、かつ前記ミスト噴出ヘッドの嵌合部は、前記第１の筒状部に嵌合する第２の筒状部を有している、請求項１に記載のミスト噴出装置。
【請求項３】
前記固定手段は、前記第１および第２の筒状部のうち、内側に位置する一方の筒状部に外嵌する一部切り欠きリング状またはリング状の拡縮変形可能な第１の締め付け部材と、この第１の締め付け部材を内部に保持し、かつ外側に位置する他方の筒状部に相対させて前記軸長方向に移動させることが可能な第２の締め付け部材と、を備えており、
前記第２の締め付け部材は、前記軸長方向のうちの一方向に移動させられたときに、前記第１の締め付け部材が前記軸長方向に移動することを阻止しつつ、前記第１の締め付け部材の内径を縮小させるように、前記第１の締め付け部材を押圧する押圧部を有しており、
前記第２の締め付け部材が前記一方向とは反対方向に移動させられたときには、前記押圧部による前記第１の締め付け部材の押圧が解除されるように構成されている、請求項２に記載のミスト噴出装置。
【請求項４】
前記固定手段は、前記第２の締め付け部材を前記一方向に弾発付勢するバネをさらに備え、かつこのバネの弾発力に抗して前記第２の締め付け部材を前記一方向とは反対方向に移動させることが可能な構成、または前記第２の締め付け部材を回転させることによって前記軸長方向に往復動させることが可能なネジ部を備えた構成とされている、請求項３に記載のミスト噴出装置。
【請求項５】
前記支持ガイドは、浴室の床面上に載置される部材、浴室の側壁に取り付けられるブラケット、または浴室に設置される機器に支持されている、請求項１ないし４のいずれかに記載のミスト噴出装置。
【請求項６】
前記ミスト噴出ヘッドに係合または連結されて、前記ミスト噴出ヘッドに対して前記軸長方向に相対移動可能であり、かつ浴室の側壁またはこの側壁に取り付けられる機器に取り付けられることによって前記ミスト噴出ヘッドを支持可能な補助ブラケットをさらに備えている、請求項１ないし５のいずれかに記載のミスト噴出装置。
【請求項７】
前記複数のミスト噴出口としては、前記ミスト噴出ヘッドの前面部に設けられ、かつ前記ミスト噴出ヘッドの幅方向に間隔を隔てた２列のミスト噴出口があり、
これら２列のミスト噴出口の向きは、前記ミスト噴出ヘッドの真正面方向よりも前記幅方向の両外方寄りとされている、請求項１ないし６のいずれかに記載のミスト噴出装置。
【発明の詳細な説明】
【技術分野】
【０００１】
本発明は、たとえば浴室においてミストシャワーなどを浴びるのに用いられるミスト噴出装置に関する。
【背景技術】
【０００２】
従来のミスト噴出装置の一例としては、特許文献１に記載されたものがある。同文献に記載されたミスト噴出装置は、複数のミスト噴出口を有するミスト噴出ヘッドが浴室暖房装置に配管接続されており、この配管部分を介してミスト噴出ヘッドに湯水が供給されると、この湯水がミスト化されて浴室に噴出されるように構成されている。また、前記ミスト噴出ヘッドは、ユーザの身長などに応じて高さ調整可能とされている。ミスト噴出ヘッドの高さを調整可能とするための手段としては、たとえば２本の管体がスライド可能に嵌合されたスライド伸縮管を利用し、ミスト噴出ヘッドを支持する手段が用いられている。ミスト噴出ヘッドに対する湯水の供給も、前記スライド伸縮管を利用して行なわれる。
【０００３】
しかしながら、前記した構成によれば、スライド伸縮管を利用してミスト噴出ヘッドの支持とミスト噴出ヘッドへの湯水供給を行なわせているために、スライド伸縮管のスライド伸縮性などを良好にしつつ、ミスト噴出ヘッドの高さを所望の高さに適切に設定可能とすることは難しい。すなわち、ミスト噴出ヘッドは一定の重量があるために、このミスト噴出ヘッドを的確に支持するには、スライド伸縮管が弱い力で容易に伸縮しないようにする必要があるが、そのようにすると、スライド伸縮管を円滑に伸縮させることが困難となる。また反対に、スライド伸縮管を弱い力で伸縮させるようにすると、ミスト噴出ヘッドを所望の高さに固定させて支持することが困難となる。また、前記した構成によれば、ミスト噴出ヘッドが比較的な大きな重量に形成された場合に、スライド伸縮管の口径を大きくしてスライド伸縮管の機械的強度を高める必要があるが、このようにスライド伸縮管の口径を大きくすると、ミスト噴出を終えた際にスライド伸縮管内に多量の湯水が残留する不具合も生じる。さらに、前記した構成によれば、スライド伸縮管の外面が外部に晒されているために、スライド伸縮管の外面に汚れや損傷を生じ易く、このことに起因してスライド伸縮管の止水シール性能が劣化するといった不具合も生じ易い。
【０００４】
【特許文献１】特開２００６−２９６７４９号公報
【発明の開示】
【発明が解決しようとする課題】
【０００５】
本発明は、前記したような事情のもとで考え出されたものであって、ミスト噴出ヘッドの位置調整を容易かつ適切に行なうことが可能なミスト噴出装置を提供することを、その課題としている。
【課題を解決するための手段】
【０００６】
上記の課題を解決するため、本発明では、次の技術的手段を講じている。
【０００７】
本発明により提供されるミスト噴出装置は、１または複数のミスト噴出口を有するミスト噴出ヘッドと、複数の管体がスライド可能に嵌合され、かつ内部に供給されるミスト噴出用の液体を前記ミスト噴出ヘッドに導くスライド伸縮管と、を備えている、ミスト噴出装置であって、前記スライド伸縮管の軸長方向に延び、かつ前記スライド伸縮管のうち、少なくとも前記ミスト噴出ヘッドから突出する部分を囲む支持ガイドと、前記ミスト噴出ヘッドに設けられ、かつ前記ミスト噴出ヘッドを前記軸長方向に移動させることが可能に前記支持ガイドにスライド可能に嵌合する嵌合部と、この嵌合部と前記支持ガイドとの相対的なスライド動作を規制して前記ミスト噴出ヘッドを前記支持ガイドに固定させることが可能な固定手段と、を備えていることを特徴としている。
【０００８】
このような構成によれば、次のような効果が得られる。
【０００９】
第１に、スライド伸縮管を伸長または収縮させつつ、ミスト噴出ヘッドを支持ガイドに沿ってスライド移動させた後に、固定手段を利用してミスト噴出ヘッドを支持ガイドに固定させることができる。したがって、ミスト噴出ヘッドをユーザが要望する位置、またはそれに近い位置に設定し、ミストシャワーなどを快適に浴びることが可能となる。
【００１０】
第２に、ミスト噴出ヘッドの支持固定は、スライド伸縮管とは別個に設けられた支持ガイドと固定手段とを利用して行なわれるために、ミスト噴出ヘッドが大型とされてその重量が比較的大きい場合であっても、ミスト噴出ヘッドを適切に支持することができる。すなわち、スライド伸縮管については、ミスト噴出ヘッドを支持可能なものとする必要はなく、伸縮性能と止水シール性能とを確保すればよいために、その製作は容易となる。また、スライド伸縮管の口径を大きくするなどしてその機械的強度をさほど高める必要はないために、ミスト噴出後にミスト噴出用の液体がスライド伸縮管内に多く残留することも適切に防止することができる。
【００１１】
第３に、スライド伸縮管のうち、ミスト噴出ヘッドから突出する部分は、支持ガイドによって囲まれて保護されるために、スライド伸縮管の外面に汚れや損傷を生じ難くすることができる。したがって、スライド伸縮管の止水シール性能が汚れや損傷に起因して劣化することも好適に防止される。
【００１２】
本発明の好ましい実施の形態においては、前記支持ガイドは、前記スライド伸縮管を囲む第１の筒状部を有し、かつ前記ミスト噴出ヘッドの嵌合部は、前記第１の筒状部に嵌合する第２の筒状部を有している。
【００１３】
このような構成によれば、支持ガイドの第１の筒状部とミスト噴出ヘッドの第２の筒状部とを円滑にスライド嵌合させて、ミスト噴出ヘッドをぐらつかないように安定的に支持することが可能となる。また、スライド伸縮管のうち、ミスト噴出ヘッドから突出する部分の全周囲を第１の筒状部によって囲むことが可能となり、スライド伸縮管をより適切に保護することができる。
【００１４】
本発明の好ましい実施の形態においては、前記固定手段は、前記第１および第２の筒状部のうち、内側に位置する一方の筒状部に外嵌する一部切り欠きリング状またはリング状の拡縮変形可能な第１の締め付け部材と、この第１の締め付け部材を内部に保持し、かつ外側に位置する他方の筒状部に相対させて前記軸長方向に移動させることが可能な第２の締め付け部材と、を備えており、前記第２の締め付け部材は、前記軸長方向のうちの一方向に移動させられたときに、前記第１の締め付け部材が前記軸長方向に移動することを阻止しつつ、前記第１の締め付け部材の内径を縮小させるように、前記第１の締め付け部材を押圧する押圧部を有しており、前記第２の締め付け部材が前記一方向とは反対方向に移動させられたときには、前記押圧部による前記第１の締め付け部材の押圧が解除されるように構成されている。
【００１５】
このような構成によれば、ミスト噴出ヘッドと支持ガイドとの相対移動を阻止してミスト噴出ヘッドを所望位置に固定させる動作と、その固定状態を解除する動作とを、第２の締め付け部材を所定の軸長方向に移動させることによって行なうことができる。したがって、操作性がよい。また、前記固定手段は、第１および第２の締め付け部材を利用した簡易な構成であるため、その製造コストも廉価にすることができる。
【００１６】
本発明の好ましい実施の形態においては、前記固定手段は、前記第２の締め付け部材を前記一方向に弾発付勢するバネをさらに備え、かつこのバネの弾発力に抗して前記第２の締め付け部材を前記一方向とは反対方向に移動させることが可能な構成、または前記第２の締め付け部材を回転させることによって前記軸長方向に往復動させることが可能なネジ部を備えた構成とされている。
【００１７】
このような構成によれば、ミスト噴出ヘッドを所望位置に固定させる操作、およびその固定状態を解除する操作を容易なものとするのにより好ましいものとなる。
【００１８】
本発明の好ましい実施の形態においては、前記支持ガイドは、浴室の床面上に載置される部材、浴室の側壁に取り付けられるブラケット、または浴室に設置される機器に支持されている。
【００１９】
このような構成によれば、浴室内にミスト噴出装置を容易かつ安定した状態に設置して使用するのに好ましいものとなる。
【００２０】
本発明の好ましい実施の形態においては、前記ミスト噴出ヘッドに係合または連結されて、前記ミスト噴出ヘッドに対して前記軸長方向に相対移動可能であり、かつ浴室の側壁またはこの側壁に取り付けられる機器に取り付けられることによって前記ミスト噴出ヘッドを支持可能な補助ブラケットをさらに備えている。
【００２１】
このような構成によれば、ミスト噴出ヘッドが支持ガイドに加えて補助ブラケットによっても支持されるために、ミスト噴出ヘッドをより安定的に支持することができる。
【００２２】
本発明の好ましい実施の形態においては、前記複数のミスト噴出口としては、前記ミスト噴出ヘッドの前面部に設けられ、かつ前記ミスト噴出ヘッドの幅方向に間隔を隔てた２列のミスト噴出口があり、これら２列のミスト噴出口の向きは、前記ミスト噴出ヘッドの真正面方向よりも前記幅方向の両外方寄りとされている。
【００２３】
このような構成によれば、２列のミスト噴出口の正面領域およびその周辺の広い領域に対してミストを均一化して供給することが可能となる。すなわち、たとえば前記構成とは異なり、２列のミスト噴出口のそれぞれの向きをミスト噴出ヘッドの真正面とした場合には、それら２列のミスト噴出口から噴出されたミスト流れの負圧作用に起因して、それらのミストが互いに引き合い、２列のミスト噴出口の中間部の正面にミストが集中する現象を生じ易い。これに対し、前記構成によれば、そのような現象を適切に回避し、ミストが一部の領域に集中することを防止する効果が得られる。
【００２４】
本発明のその他の特徴および利点は、添付図面を参照して以下に行なう発明の実施の形態の説明から、より明らかになるであろう。
【発明を実施するための最良の形態】
【００２５】
以下、本発明の好ましい実施の形態について、図面を参照して具体的に説明する。
【００２６】
図１〜図７は、本発明が適用されたミスト噴出装置の一実施形態を示している。図１によく表われているように、本実施形態のミスト噴出装置Ａ１は、複数のミスト噴出口１０ａが設けられたミスト噴出ヘッド１、スライド伸縮管２、支持ガイド３、固定具４、給水用支持部材５、および支持脚６を備えている。
【００２７】
図２に示すように、ミスト噴出ヘッド１は、合成樹脂製のケース１１内に、複数のミストノズル１０が装着された２本の管体１２が収容された構成を有している。２本の管体１２は、ミスト噴出ヘッド１の左右幅方向に適当な間隔を隔てて上下方向に延びるように設けられ、連結管１３を介して連結されている。各管体１２内に湯水が供給されると、この湯水は各ミストノズル１０の先端のミスト噴出口１０ａからケース１１の外部にミスト化されて噴出する。ケース１１には、各ミストノズル１０の先端を外部に臨ませるための開口部が複数設けられている。
【００２８】
図１に示すように、複数のミスト噴出口１０ａは、ミスト噴出ヘッド１の前面部１４において左右幅方向に適当な間隔を隔てて２列に並んでいる。好ましくは、図４に示すように、２列のミスト噴出口１０ａは、ミスト噴出ヘッド１の符号Ｆｒで示す真正面方向に対して適当な角度αだけケース１１の幅方向の両外方寄りを向く向きとされている。これに対応し、前面部１４のうち、ミスト噴出口１０ａが設けられてない幅方向中央部１４ａは真正面を向いているのに対し、ミスト噴出口１０ａが設けられている両側部１４ｂは、真正面を向かず傾斜している。このような構成によれば、２列のミスト噴出口１０ａからはミストが正面方向よりも角度αだけ外方寄りに噴出されるものの、２列のミスト流れの負圧吸引作用によって、それらのミストが互いに引き合い、同図の矢印Ｎ１に示すように、幅方向中央部１４ａの正面領域に一部進行する。その結果、ミスト噴出口１０ａの正面領域およびその周辺領域の広い領域に対してミストを略均一な濃度で供給することが可能となる。前記構成とは異なり、２列のミスト噴出口１０ａがともに真正面方向を向いている場合には、２列のミスト流れが互いに引き合って幅方向中央部１４ａの正面領域にミストが集中し過ぎる虞があるが、前記構成によれば、そのような虞を適切に回避することが可能である。むろん、本発明においては、本実施形態とは異なり、各ミスト噴出口１０ａをミスト噴出ヘッド１の真正面に向けた構成とすることもできる。
【００２９】
図２に示すように、スライド伸縮管２は、ミスト噴出ヘッド１内に湯水供給を行なうためのものであり、２本の管体２０，２１が上下方向にスライド可能に嵌合されることにより構成されている。上側の管体２０の下部内周には、下側の管体２１の外周面に摺接する止水シール用のＯリング２２が装着されている。２本の管体２０，２１は、たとえば金属製であるが、好ましくは、Ｏリング２２に摺接する下側の管体２１の外周面は、メッキ処理などが施された滑らかな面とされ、スライド動作性と止水シール性との向上が図られている。管体２１の下部は、給水用支持部材５に固定連結され、かつ管体２０の上部は、連結管１３に固定連結されている。このことにより、給水用支持部材５内に供給された湯水は、スライド伸縮管２および連結管１３を介してミストノズル１０が設けられた２本の管体１２内に供給されるようになっている。
【００３０】
支持ガイド３は、ミスト噴出ヘッド１を上下方向（矢印Ｎ５方向）にスライド可能に支持するためのものであり、スライド伸縮管２よりも大径のたとえばステンレス製の丸パイプ材を用いて構成され、かつその下端部は、給水用支持部材５に固定連結されている。この支持ガイド３は、給水用支持部材５からその上方に起立してスライド伸縮管２を囲む第１の筒状部３０を有している（ただし、図面においては、支持ガイド３の略全体が第１の筒状部３０とされている）。これに対し、ミスト噴出ヘッド１のケース１１の下部には、第１の筒状部３０に対してスライド可能に外嵌した第２の筒状部１４ａを有する嵌合部１４が設けられている（ただし、図面においては、嵌合部１４の略全体が第２の筒状部１４ａとされている）。このことにより、ミスト噴出ヘッド１は、図２および図３に示すように、支持ガイド３に沿って昇降可能である。
【００３１】
固定具４は、ミスト噴出ヘッド１と支持ガイド３との相対的なスライド動作を規制してミスト噴出ヘッド１の位置決め固定を図るためのものであり、本発明でいう固定手段の一例に相当する。この固定具４は、図５に示すように、第１および第２の締め付け部材４１，４２に加え、バネ４３、および可動筒４４を備えている。第１の締め付け部材４１は、同図（ａ）の仮想線に示すように、たとえば一部切り欠きリング状であることにより拡縮変形自在であり、支持ガイド３に外嵌されて嵌合部１４の下端に隣接している。第２の締め付け部材４２は、第１の締め付け部材４１を内部に保持可能なソケット状であり、その上部は可動筒４４に螺合連結されている。バネ４３は、嵌合部１４に外嵌され、かつこの嵌合部１４の下端のフランジ１４０上に配置されており、可動筒４４を常時上方に付勢する力Ｆ１を発揮する。このため、可動筒４４に連結されている第２の締め付け部材４２も、常時上方に付勢される。第２の締め付け部材４２の下部内周面には、第１の締め付け部材４１の外面を押圧するための傾斜状の押圧面４２ａが形成されている。
【００３２】
この固定具４においては、図５（ａ）に示すように、通常時は、バネ４３の力Ｆ１によって第２の締め付け部材４２が上昇している状態にあり、その際には、押圧面４２ａが第１の締め付け部材４１を上向きおよび半径方向内方に押圧している。このため、この第１の締め付け部材４１は、嵌合部１４の下端面に当接して上下方向の位置決め固定が図られるとともに、内径が縮小して支持ガイド３の外周面に圧接した状態となる。この作用により、第１の締め付け部材４１と支持ガイド３との相対的な位置関係、ひいては嵌合部１４と支持ガイド３との相対的な位置関係が固定される。一方、同図（ｂ）に示すように、ユーザがバネ４３の力Ｆ１に抗して、可動筒４４および第２の締め付け部材４２を矢印Ｎ２に示すように手で下降させると、押圧面４２ａによる第１の締め付け部材４１の押圧状態が解除される。このことにより、支持ガイド３に対して嵌合部１４をスライドさせることが可能となり、ミスト噴出ヘッド１の昇降が可能となる。ユーザが可動筒４４および第２の締め付け部材４２から手を放すと、バネ４３の力Ｆ１によって同図（ａ）に示した状態に復帰する。
【００３３】
給水用支持部材５は、スライド伸縮管２ならびに支持ガイド３の支持、およびスライド伸縮管２への給水を行なうためのものであり、給水用のホース８０の接続口５０が設けられている。ホース８０は、たとえば図１に示すように、浴室に設置されている給湯用の混合栓９０に接続され、この混合栓９０から出湯する湯水をミスト発生に用いることが可能である。なお、同図に示すように、給水用支持部材５には、別途、温水シャワー（非ミストシャワー）を浴びるためのシャワーヘッド９１をホース接続した構成とすることもできる。この場合、給水用支持部材５には、給水用支持部材５内に供給された湯水の供給先を、操作レバー５９の操作によって、ミスト噴出ヘッド１側とシャワーヘッド９１側とのいずれかに選択的に切り替え可能な方向切替弁（図示略）を設けた構成とすることもできる。
【００３４】
給水用支持部材５は、支持脚６の上部に固定されている。支持脚６は、このミスト噴出装置Ａ１を浴室の床面上に安定的に設置するためのものであり、種々の形状とすることができる。
【００３５】
図６および図７に示すように、このミスト噴出装置Ａ１は、補助ブラケット７も具備している。この補助ブラケット７は、ミスト噴出ヘッド１の背面部に設けられて上下方向に延びるガイドロッド１９に対してスライド可能に嵌合したスライド嵌合部７０と、これを支持するベース部７１とを備えている。ベース部７１は、浴室の側壁９５に取り付けられる部分である。その取り付け手段としては、ネジ止め手段、あるいは接着剤や吸盤を用いるなど、種々の手段を採用することができる。補助ブラケット７とミスト噴出ヘッド１とは上下方向に相対移動可能であるため、図６（ａ），（ｂ）に示すように、ミスト噴出ヘッド１を適切に昇降させることが可能である。補助ブラケット７は、ミスト噴出ヘッド１の支持を安定させて、ミスト噴出装置Ａ１が転倒することを防止する役割を果たす。また、スライド嵌合部７０をガイドロッド１９周りに相対回転可能とした場合には、補助ブラケット７によってミスト噴出ヘッド１を支持させたまま、図１の矢印Ｎ３に示すように、ミスト噴出ヘッド１を左右に首振りさせてその向きを調整することも可能となる（ただし、固定具４を緩めた状態において）。
【００３６】
次に、ミスト噴出装置Ａ１の作用について説明する。
【００３７】
まず、固定具４の可動筒４４および第２の締め付け部材４２を手で押し下げると、支持ガイド３と嵌合部１４との固定状態が解除され、ミスト噴出ヘッド１を支持ガイド３に沿わせて昇降させることができる。また、固定具４の可動筒４４および第２の締め付け部材４２から手を放すと、バネ４３の弾発力によって固定具４は支持ガイド３と嵌合部１４とを再度固定することとなり、ミスト噴出ヘッド１の位置決め固定を容易に図ることができる。したがって、ユーザは、自己の要望に応じてミスト噴出ヘッド１の高さを手軽に変更することができ、ミストシャワーを快適に浴びることが可能となる。ミスト噴出ヘッド１の高さ調整に伴ってホース８０が移動するようなこともない。ミスト噴出ヘッド１は、既述したように、左右に向きを変更することもできるために、ユーザにとってより好ましいものとなる。さらに、図４を参照して説明したように、２列のミスト噴出口１０ａからは、ミスト噴出ヘッド１の正面領域およびその周辺領域にミストを均一化した状態で供給することができるために、ミストシャワーはより快適なものとなる。
【００３８】
ミスト噴出ヘッド１は、支持ガイド３により支持されているために、ミスト噴出ヘッド１が大型とされてその重量が比較的大きい場合であっても、このミスト噴出ヘッド１を適切に支持することができる。スライド伸縮管２は、ミスト噴出ヘッド１の昇降に伴って伸縮するが、このスライド伸縮管２には、ミスト噴出ヘッド１の重量を負担するための大きな機械的強度をもたせる必要はない。このため、スライド伸縮管２の強度を高めることを目的として、たとえばこのスライド伸縮管２を大口径の管体を用いて製作する必要もない。スライド伸縮管２の口径を大きくすると、ミスト噴出を停止した際に、このスライド伸縮管２内に多くの湯水が残留する不具合を生じるが、本実施形態によれば、そのような不具合を無くすこともできる。スライド伸縮管２については、止水シールが適切に図られつつ、ミスト噴出ヘッド１の昇降に伴って伸縮するように製作すればよいため、その製作作業は容易となる。また、本実施形態によれば、スライド伸縮管２が内部の水圧により伸長して２本の管体２０，２１が抜け外れるといった不具合も生じないようにすることができる。
【００３９】
スライド伸縮管２の一部は、ミスト噴出ヘッド１よりも下方に突出しているが、この突出部分は、支持ガイド３内に位置しており、この支持ガイド３によって保護された状態にある。したがって、スライド伸縮管２の外面が汚れたり、損傷するといった適切に回避され、管体２０，２１の嵌合部分の止水シール性能が悪化する虞も少なくなる。支持ガイド３については、汚れなどを生じる場合があるが、この支持ガイド３は、スライド伸縮管２とは異なり、給水部材ではなく、止水シール性能は要求されないために、少々の汚れなどを生じてもとくに不具合はない。
【００４０】
このミスト噴出装置Ａ１は、浴室の床面上に設置して使用することが可能であるため、大掛かりな設置工事が不要であり、設置に際しての労力およびコストを少なくすることができる。また、補助ブラケット７を利用することによって転倒防止などをも好適に図ることができるために、ユーザにとって使い勝手が一層良いものとなる。
【００４１】
図８〜図１０は、本発明の他の実施形態を示している。これらの図において、前記実施形態と同一または類似の要素には、前記実施形態と同一の符号を付している。
【００４２】
図８に示すミスト噴出装置Ａ２においては、給水用支持部材５が適当なブラケット９６を介して浴室の側壁９５に取り付けられた構成とされている。このような構成であっても、支持ガイド３に沿ってミスト噴出ヘッド１を昇降させることができる。本実施形態から理解されるように、本発明に係るミスト噴出装置は、床上載置タイプに代えて、壁面取り付けタイプとすることも可能であり、具体的な設置態様は問わない。本発明においては、特許文献２に記載されているもののように、たとえば浴室に別途設置される浴室暖房装置などの機器類にミスト噴出装置を支持させた構成とすることもできる。
【００４３】
図９に示す固定具４Ａにおいては、第２の締め付け部材４２とミスト噴出ヘッド１の嵌合部１４とがネジ部４８を介して螺合されており、第２の締め付け部材４２を回転させることにより、この第２の締め付け部材４２を嵌合部１４に相対させて上下動させることが可能である。このような構成によれば、図５に示したバネ４３を用いる場合と比較して、全体の部品点数を少なくし、組み立て作業を容易にすることができる。
【００４４】
図１０に示すミスト噴出装置Ａ３においては、ミスト噴出ヘッド１の嵌合部１４が支持ガイド３に嵌入している。嵌合部１４と支持ガイド３との内外位置関係は、前記実施形態とは反対であるが、このような構成であっても、ミスト噴出ヘッド１を支持ガイド３に沿って昇降させ、かつ適切に支持させることが可能である。なお、本実施形態のように、嵌合部１４と支持ガイド３との内外位置関係が反対とされた場合には、固定具４Ａの第１の締め付け部材４１は、内側に位置する嵌合部１４に外嵌されて、この嵌合部１４の外周面に圧接することとなる。
【００４５】
本発明は、上述した実施形態の内容に限定されない。本発明に係るミスト噴出装置の各部の具体的な構成は、種々に設計変更自在である。
【００４６】
本発明でいうミスト噴出ヘッドとは、要は、１または複数のミスト噴出口を有していればよく、液体をミスト化して噴出するための具体的な構造は限定されない。ミスト噴出ヘッドは、たとえば適当な管体にミストノズルが装着されただけの構成（前記管体がケースで覆われていない構成）とすることもできる。スライド伸縮管は、複数の管体がスライド可能に嵌合されて全体が伸縮性を有すればよく、３以上の管体を嵌合させた多段式のものとすることもできる。本発明でいう支持ガイドは、スライド伸縮管の全周囲を囲むパイプ状とすることが好ましいものの、これに代えて、たとえば一部分が開口した状態のパイプ状とすることもできる。また、丸パイプ状に限らず、角パイプ状とすることもできる。
【００４７】
本発明でいうミスト噴出ヘッドに設けられた嵌合部は、支持ガイドによる支持を安定させる観点からすると、円筒状などの筒状に形成することが好ましいものの、やはりこれに限定されず、たとえば支持ガイドの軸長方向に適当な間隔を隔てて位置する複数の部材のそれぞれに支持ガイドが嵌入する孔部を一連に形成した非筒状の構造とすることもできる。本発明でいう固定手段は、第１および第２の締め付け部材を用いるものとは異なる構成とすることもできる。なお、本発明でいう第１の締め付け部材については、一部切り欠きリング状のものに代えて、全体がリング状のもの（ただし、拡縮変形可能なもの）を用いることもできる。
【００４８】
本発明に係るミスト噴出装置は、浴室以外の場所に設置して使用することも可能である。また、本発明は、ミスト噴出ヘッドの高さ調整に代えて、たとえばミスト噴出ヘッドの水平方向の位置調整に適用することも可能である。
【図面の簡単な説明】
【００４９】
【図１】本発明に係るミスト噴出装置の一例を示す概略斜視図である。
【図２】図１に示すミスト噴出装置の一部省略要部断面図である。
【図３】図１に示すミスト噴出装置のミスト噴出ヘッドを支持ガイドに対してスライドさせた状態の一例を示す一部省略要部断面図である。
【図４】図１に示すミスト噴出装置のミスト噴出ヘッドの要部平面図である。
【図５】（ａ），（ｂ）は、図１に示すミスト噴出装置で用いられている固定具の要部断面図である。
【図６】（ａ），（ｂ）は、図１に示すミスト噴出装置の一部断面側面図である。
【図７】図６（ａ）のＶII−ＶII要部断面図である。
【図８】（ａ），（ｂ）は、本発明の他の例を示す一部断面側面図である。
【図９】（ａ），（ｂ）は、本発明の他の例を示す要部断面図である。
【図１０】本発明の他の例を示す要部断面図である。
【符号の説明】
【００５０】
Ａ１〜Ａ３    ミスト噴出装置
１    ミスト噴出ヘッド
２    スライド伸縮管
３    支持ガイド
４，４Ａ    固定具（固定手段）
７    補助ブラケット
１０ａ    ミスト噴出口
１４      嵌合部
１４ａ    第２の筒状部
２０，２１    管体（スライド伸縮管の）
３０    第１の筒状部
４１    第１の締め付け部材
４２    第２の締め付け部材
４２ａ  押圧面
４３    バネ
【図１】
0005093674.tif 000002
【図２】
0005093674.tif 000003
【図３】
0005093674.tif 000004
【図４】
0005093674.tif 000005
【図５】
0005093674.tif 000006
【図６】
0005093674.tif 000007
【図７】
0005093674.tif 000008
【図８】
0005093674.tif 000009
【図９】
0005093674.tif 000010
【図１０】
0005093674.tif 000011